(57)【要約】【目的】デジタルカメラ、デジタルビデオカメラなどのレンズ鏡筒の前面に装着されるフィルターにおいて、フィルターレンズの表面に歪みが生じる問題を解消したフィルターを提供する。【構成】フィルター枠と、フィルター枠に嵌合されるフィルターレンズと、フィルターレンズの周縁部に圧入される押えリングを具え、押えリングはばね用鋼材を弾性樹脂で被覆してなり、押えリングによりフィルターレンズの周縁部がフィルター枠に押圧されフィルターレンズが押えリングとフィルター枠との間に保持されるよう構成する。【選択図】図１
2020154002.tif 000002
【特許請求の範囲】
【請求項１】
デジタルカメラ、デジタルビデオカメラなどのレンズ鏡筒の前面に装着されるフィルターであって、フィルター枠と、フィルター枠に嵌合されるフィルターレンズと、フィルターレンズの周縁部に圧入される押えリングを具え、押えリングはばね用鋼材を弾性樹脂で被覆してなり、押えリングによりフィルターレンズの周縁部がフィルター枠に押圧されフィルターレンズが押えリングとフィルター枠との間に保持されるよう構成したことを特徴とするフィルター。
【発明の詳細な説明】
【技術分野】
【０００１】
本発明はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやきずが生じるのを防止したり、光透過率を低減する（減光する）などの目的で、レンズ鏡筒の前面にフィルターが装着される。フィルターは、丸枠フィルターの場合には、円環状のフィルター枠に円板状のフィルターレンズを嵌合、固定して構成される。フィルター枠には、内側（裏側）にレンズ鏡筒に装着するための雄ねじ部が形成され、外側（表側）には他の関連部品を装着するための雌ねじ部が形成されている。
【０００３】
フィルター枠はアルミニウム合金などの金属材料や繊維強化プラスチックなどからなる高分子材料を成形加工して製作されており、フィルター枠へのフィルターレンズの取り付けは、当初、フィルター枠にフィルターレンズを嵌合し、フィルター枠と同じ材料で成形された押え環を内側または外側からねじ込んでフィルターレンズを加圧し固定することにより行われていた。
【０００４】
しかしながら、このような取り付け方式は、フィルターレンズに硬質の押さえ環が直接加圧接触するため、フィルターレンズの表面に歪みが生じ、フィルターを装着するカメラのレンズの解像度劣化の原因となるという問題があり、とくに望遠レンズにおいて画像が劣化することが認められた。
【０００５】
上記の問題点を解決する一手法として、図２に示すように、内側にレンズ鏡筒に装着するための雄ねじ部６を形成し、外側に関連部品を装着するための雌ねじ部７を形成したフィルター枠２にフィルターレンズ３を嵌合し、フィルター枠２の内側から合成樹脂製の押えリング４を圧入してフィルターレンズ３の周縁部５を押えるようにしたフィルターが提案されているが、この手法によってもフィルターレンズの表面に歪みが生じる問題を解決するにはなお十分でなく、またこの場合、押えリング４の寸法精度が重要で、製造上のばらつきによってはフィルターレンズとの間に隙間が生じてフィルターレンズがガタついたり、押えリング４の弾性力が弱くフィルター枠２から脱落するという難点もある
【先行技術文献】
【特許文献】
【０００６】
【特許文献１】実願昭４９−４９８５７号（実開昭５０−１３８９３０号）明細書
【発明の概要】
【発明が解決しようとする課題】
【０００７】
本発明は、フィルターにおける上記の問題点を解消するためになされたものであり、その目的は、弾性樹脂の弾力でフィルターレンズを押えることにより製造上のばらつきも吸収されてフィルターレンズの表面を均一に押えることができる結果、フィルターレンズの表面に歪みが生じるのを防ぎ、押えリングがばね用鋼材を弾性樹脂で被覆することにより構成されているため、押えリングの形状も保持されてフィルター枠から脱落するという問題も解消することができるフィルターを提供することにある。
【課題を解決するための手段】
【０００８】
上記の目的を達成するための本発明によるフィルターは、デジタルカメラ、デジタルビデオカメラなどのレンズ鏡筒の前面に装着されるフィルターであって、フィルター枠と、フィルター枠に嵌合されるフィルターレンズと、フィルターレンズの周縁部に圧入される押えリングを具え、押えリングはばね用鋼材を弾性樹脂で被覆してなり、押えリングによりフィルターレンズの周縁部がフィルター枠に押圧されフィルターレンズが押えリングとフィルター枠との間に保持されるよう構成したことを特徴とする。
【発明の効果】
【０００９】
本発明によれば以下の効果が達成される。
（１）弾性樹脂の弾力でフィルターレンズを押えることによりフィルターレンズの表面を均一に押えることができるから、フィルターレンズの表面に歪みが生じるのを防ぎ、レンズの解像度の劣化が防止される。
（２）弾性樹脂の弾力でフィルターレンズを押えるため、製造上のばらつきも吸収され、フィルターレンズとの間に隙間が生じてフィルターレンズがガタついたりすることもない。
（３）押えリングがばね用鋼材を弾性樹脂で被覆することにより構成されているため、押えリングの形状が保持されて押えリングがフィルター枠から脱落するという問題も解消される。
【図面の簡単な説明】
【００１０】
【図１】フィルター枠とフィルターレンズと押えリングを具えて構成される本発明によるフィルターの要部断面図である。
【図２】従来のフィルターの要部断面図である。
【発明を実施するための形態】
【００１１】
以下、本発明のフィルターを図面に基づいて説明する。本発明によるフィルターはデジタルカメラ、デジタルビデオカメラなど撮像機器のレンズ鏡筒の前面に装着されるフィルターであり、円板状のフィルターレンズが取り付けられる丸枠フィルターと角板状のフィルターレンズが取り付けられる角フィルターがある。
【００１２】
円板状のフィルターレンズが取り付けられる丸枠フィルターの場合について説明すると、図１に示すように、本発明のフィルター１は、フィルター枠２と、フィルター枠２に嵌合されるフィルターレンズ３と、フィルターレンズ３の周縁部５に圧入される押えリング４を具えてなる。６はレンズ鏡筒に装着するための雄ねじ部、７は関連部品を装着するための雌ねじ部である。なお、図１において、従来（図２）と同じ部材については同一の符号を付した。
【００１３】
押えリング４はばね用鋼材９を弾性樹脂８で被覆してなり、押えリング４によりフィルターレンズ３の周縁部５がフィルター枠２に押圧され、フィルターレンズ３が押えリング４とフィルター枠２との間に保持されるよう構成される。
【００１４】
フィルター枠２はアルミニウム合金などの金属材料や繊維強化プラスチックなどからなる高分子材料を成形加工して製作され、押えリング４は、好ましくは断面が正方形、長方形のような角状のもので、ステンレス鋼などのばね用鋼材９を弾性樹脂８で被覆して形成され、ばね用鋼材９を内包することにより押えリング４の形状が保持される。
【００１５】
押えリング４を構成する弾性樹脂８はシリコン樹脂、変性シリコン樹脂などからなり、必要に応じて充填剤、可塑剤、接着性向上剤などが配合される。弾性樹脂８の弾力でフィルターレンズ３を押えることによりフィルターレンズ３の表面を隙間なく均一に押えることができ、フィルターレンズ３の表面に歪みが生じることがなく、ばね用鋼材９を内包することにより押えリング４の形状が保持されて押えリング４がフィルター枠２から脱落することもない。
【００１６】
以上、本発明を丸枠フィルターに適用する場合について説明したが、本発明は角フィルターの場合にも適用することができ、また、フィルターの内側（裏側）から押えリングを圧入する場合について説明したが、押えリングを外側（表側）から圧入する形態を採ることもできる。
【符号の説明】
【００１７】
１  本発明のフィルター
２  フィルター枠
３  フィルターレンズ
４  押えリング
５  フィルターレンズの周縁部
６  雄ねじ部
７  雌ねじ部
８  弾性樹脂
９  ばね用鋼材
【図１】
2020154002.tif 000003
【図２】
2020154002.tif 000004
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
デジタルカメラ、デジタルビデオカメラなどのレンズ鏡筒の前面に装着されるフィルターであって、フィルター枠と、フィルター枠に嵌合されるフィルターレンズと、フィルター枠とフィルターレンズの周縁部との間に圧入される押えリングを具え、押えリングはばね用鋼材を弾性樹脂で被覆してなり、押えリングによりフィルターレンズの周縁部がフィルター枠に押圧されフィルターレンズが押えリングとフィルター枠との間に保持されるよう構成したことを特徴とするフィルター。
【手続補正２】
【補正対象書類名】明細書
【補正対象項目名】００１２
【補正方法】変更
【補正の内容】
【００１２】
円板状のフィルターレンズが取り付けられる丸枠フィルターの場合について説明すると、図１に示すように、本発明のフィルター１は、フィルター枠２と、フィルター枠２に嵌合されるフィルターレンズ３と、フィルター枠２とフィルターレンズ３の周縁部５との間に圧入される押えリング４を具えてなる。６はレンズ鏡筒に装着するための雄ねじ部、７は関連部品を装着するための雌ねじ部である。なお、図１において、従来（図２）と同じ部材については同一の符号を付した。